(57)【要約】【課題】  確実に止水でき、立ち上げ管の上端部の位置に狂いがあっても配管作業を容易にでき、施工後も壁裏の漏水箇所の確認を簡単にでき、万一漏水しても壁裏を濡らすことがないようにする。【解決手段】  壁１の裏側に管２を立ち上げ、この管２の上端にエルボ３を壁１に先端部を向けて接続する。エルボ３の先端部に対応する壁１の位置に切欠窓４を形成し、この切欠窓４を閉塞する蓋５を介して管２を室内に引き込む。外周面に雄ネジ部７ａを有するアダプター７を、貫通孔８に通して、且つ雄ネジ部７ａを室内に配置させてエルボ３の先端部に接続する。アダプター７の雄ネジ部７ａに室内側からナット１１を螺合する。ナット１１とフランジ部３ａとで蓋５を水密状に挟み付ける。蓋５を伸縮状に形成して貫通孔８の位置をエルボ３の先端部の位置に合わせて微調整自在に形成する。【選択図】      図１
2005240475.tif 000002
【特許請求の範囲】
【請求項１】
壁の裏側に湯水用の管が立ち上げられ、この立ち上げ管の上端にエルボが壁に先端部を向けて接続され、このエルボの先端部に対応する壁の位置に切欠窓が形成され、この切欠窓を閉塞する蓋を介して上記の立ち上げ管が室内に引き込まれている立ち上げ管の配管構造であって、外周面に雄ネジ部を有するアダプタ―が、上記の蓋に形成されている貫通孔に通されて、且つ雄ネジ部を室内に配置させて上記のエルボの先端部に接続され、このアダプターの雄ネジ部に室内側からナットが螺合され、このナットとエルボのフランジ部とで上記の蓋が水密状に挟み付けられ、蓋が伸縮状に形成されて貫通孔の位置をエルボの先端部の位置に合わせて微調整自在に形成されていることを特徴とする立ち上げ管の配管構造。
【請求項２】
請求項１記載の立ち上げ管の配管構造であって、アダプターが雄ネジ部を有するのに代え、外周面にフランジが形成され、このフランジに軸心に沿って延びるネジ込み孔がフランジの周方向に等間隔をあけて複数貫通され、このネジ込み孔に室内側から止めネジがネジ込まれ、この止めネジで蓋がエルボのフランジ部に水密状に固定されていることを特徴とする立ち上げ管の配管構造。
【請求項３】
請求項１又は２記載の立ち上げ管の配管構造であって、ナット又は止めネジの締付力が加わる貫通孔の周辺の蓋の部位と、壁に接する蓋の周辺部とが、他の部位より硬質状に形成されていることを特徴とする立ち上げ管の配管構造。
【請求項４】
請求項１乃至３の何れかに記載の立ち上げ管の配管構造であって、ナット又は止めネジの締付力が加わる貫通孔の周辺の蓋の部位と、壁に接する蓋の周辺部とが、他の部位より厚く形成されていることを特徴とする立ち上げ管の配管構造。
【請求項５】
請求項１乃至４の何れかに記載の立ち上げ管の配管構造であって、蓋が、貫通孔を囲繞する蛇腹状部を備えて伸縮自在に形成されていることを特徴とする立ち上げ管の配管構造。
【請求項６】
請求項１乃至５の何れかに記載の立ち上げ管の配管構造であって、蓋の周辺部に、蓋と外形が同じ枠状の蓋押さえが室内側からあてがわれ、この蓋押さえで蓋が壁に固定されていることを特徴とする立ち上げ管の配管構造。
【発明の詳細な説明】
【技術分野】
【０００１】
本発明は、立ち上げ管の配管構造に関し、更に詳しくは例えばユニットバスの壁裏に配管した湯水用の管を、室内側に引き込むときの配管構造に関するものである。
【背景技術】
【０００２】
従来この種の構造としては、例えば特許文献１記載されているものがある。この従来構造は、壁パネルに所定寸法の開口を形成し、パネル本体の裏側に、複数の配管継手を取り付けた配管固定具を配置すると共に、浴室側に配管継手の継手部を覗かせる穴を形成した開口部カバーを配置し、配管固定具と開口部カバーを壁パネルを挟んで固定しているものである。
【０００３】
従来、ユニットバス等における湯水用の配管設備は、この従来例にもみられるように、壁裏に複数の管（例えば給水管、給湯管、給湯器やボイラーに接続した追焚き用の出入管）が配管されるのが通例である。そしてこの複数の管に継手を接続し、この継手を、壁にあけた切欠窓（開口部）の蓋（カバー）を介して浴室内に引き込み、浴室側の配管と接続しているものである。
【特許文献１】特開２００３−２６８８２０号公報
【発明の開示】
【発明が解決しようとする課題】
【０００４】
而してこの種の壁裏配管は、ユニットバスの施工前に水道工事業者によって行なわれるが、管が立ち上げられる場合、その全ての管の上端部を正確に位置決めしづらいことから、上端部は、向きや、前後、左右の位置に狂いがあることが通例である。
従って従来は、立ち上げ管の上端部の継手に蓋の貫通孔を通し、蓋を壁に固定する作業が不便で、この種の作業に手間暇がかかる、という問題点があった。また従来は、立ち上げ管の接続作業や止水作業が立ち上げ管の種類や配管径に左右されたから、止水性能が作業者の熟練度におうところが大きく、常に同じレベルでの止水性能を確保しにくかった。また従来は、蓋を、一旦、壁に固定すると、継手等のネジ込み箇所の確認を簡単にできなかったから、ユニットバスのメンテナンス性能の低下を招く、という問題があり、また壁裏の継手の箇所が漏水すると、水が外に漏れ出て壁裏を濡らす、という問題点があった。
【０００５】
本発明は、このような従来技術の問題点に鑑み、提案されたものである。
従って本発明の解決しようとする技術的課題は、立ち上げ管の配管径等に左右されることなく確実に止水でき、上端部の位置に狂いがあっても配管作業を容易に且つ確実にでき、施工後も壁裏の漏水箇所の確認を簡単にでき、万一漏水しても浴室側に水を導いて壁裏を濡らすことがないよう形成した立ち上げ管の配管構造を提供することにある。
【課題を解決するための手段】
【０００６】
本発明は、上記の課題を解決するため、次のような技術的手段を採る。
即ち本発明は、図１等に示されるように、壁１の裏側に湯水用の管２が立ち上げられ、この立ち上げ管２の上端にエルボ３が壁１に先端部を向けて接続され、このエルボ３の先端部に対応する壁１の位置に切欠窓４が形成され、この切欠窓４を閉塞する蓋５を介して上記の立ち上げ管２が室内に引き込まれている立ち上げ管の配管構造であって、外周面に雄ネジ部７ａを有するアダプター７が、上記の蓋５に形成されている貫通孔８に通されて、且つ雄ネジ部７ａを室内に配置させて上記のエルボ３の先端部に接続され、このアダプター７の雄ネジ部７ａに室内側からナット１１が螺合され、このナット１１とエルボ３のフランジ部３ａとで上記の蓋５が水密状に挟み付けられ、蓋５が伸縮状に形成されて貫通孔８の位置をエルボ３の先端部の位置に合わせて微調整自在に形成されていることを特徴とする（請求項１）。
【０００７】
本発明の場合、アダプター７は、その前端に室内側の配管が接続されるものであり、このアダプター７が通される貫通孔８の位置の止水は、蓋５を挟んでナット１１とエルボ３のフランジ部３ａとの間に、平座金９やパッキン１０等を適宜介在させることで実現される。蓋５の材質は、可撓性や軟質性の例えばゴム材や合成樹脂材等が好ましい。本発明の場合、蓋５の伸縮性は、後述するような蛇腹状部５ａで、構造的機械的に実現したり、或いは蓋５を形成する例えばゴム材等の材料自体の性質を活かして実現される。
【０００８】
この場合本発明は、アダプター７が雄ネジ部７ａを有するのに代え、図１０に示されるように、外周面にフランジ７１が形成され、このフランジ７１に軸心に沿って延びるネジ込み孔７２がフランジ７１の周方向に等間隔をあけて複数貫通され、このネジ込み孔７２に室内側から止めネジ１５がネジ込まれ、この止めネジ１５で蓋５がエルボ３のフランジ部３ａに水密状に固定されているのでも良い（請求項２）。
この場合も、止めネジ１５によって、ナット１１の場合と同様、アダプター７と蓋５との間の漏水を防止できるからである。
【０００９】
また本発明は、ナット１１又は止めネジ１５の締付力が加わる貫通孔８の周辺の蓋５の部位５ｂと、壁１に接する蓋５の周辺部５ｃとが、他の部位５ｄより硬質状に形成されたり（請求項３）、他の部位５ｄより厚く形成されているのでも良い（請求項４）。
なぜならこれによると、止水箇所５ｂ、５ｃの強度が増し、大きな締付力が加わっても変形しにくくなり、水密性を一層向上できるからである。
【００１０】
また請求項１乃至４の何れかに記載の本発明は、蓋５が、貫通孔８を囲繞する蛇腹状部５ａを備えて伸縮自在に形成されているのが好ましい（請求項５）。
なぜならこれによると、貫通孔８の位置を前後、左右、上下にバランス良く動かすことができ、配管操作が容易になり、無理なく蓋５を壁１に取り付けて切欠窓４を閉塞できるからである。
【００１１】
また請求項１乃至５の何れかに記載の本発明は、蓋５の周辺部５ｃに、蓋５と外形が同じ枠状の蓋押さえ１２が室内側からあてがわれ、この蓋押さえ１２で蓋５が壁１に固定されているのが好ましい（請求項６）。
なぜならこれによると、蓋５の周辺部５ｃを壁１に均一に密着させることができ、蓋５と壁１との水密性を一層向上できるからである。
【発明の効果】
【００１２】
本発明は、このようにエルボのフランジ部を止水箇所として利用し、アダプターの雄ネジ部にナットを室内側から締め付けることにより、止水するものである。従ってこれによれば、立ち上げ管の様々な配管種類や配管径に左右されることなく、確実な止水処理が可能となり、止水性能を向上できる。
また本発明は、蓋を伸縮状に形成して貫通孔の位置を微調整自在に形成しているものである。従ってこれによれば、立ち上げ管に接続したエルボの先端部の位置に、前後、上下、左右、或いは向きに多少狂いがあっても（図５の点線状態参照）、柔軟に追従して対応でき、配管作業を容易にできる。
また本発明は、蓋が伸縮状に形成されているため、ナットで蓋を締め付けた後でも、めくることができる。従ってこれによれば、施工中のユニットバスの漏水検査時に、ネジ込み箇所を目視及び手を触れて確認でき、この種の検査作業を容易且つ高性能にできる。また施工後も、ネジ込み箇所の目視や手を触れての確認が可能であるから、これによればユニットバスのメンテナンス性能を向上させることができる。
また本発明は、例えばアダプターのネジ込み不良で、エルボとの接続箇所から万一漏水しても、ナットが蓋を介してエルボのフランジ部にしっかり締まってさえいれば、蓋の貫通孔の箇所から、上記の漏水を外に漏れ出させることがない。従ってこれによれば、ユニットバスの室内側に、上記の漏水を導いて防水パンから排水できるから、ユニットバスの漏水防止性能を向上させることができる。
【発明を実施するための最良の形態】
【００１３】
以下、本発明を実施するための最良の形態を説明する。
本発明の配管構造は、図１等に示されるように、壁１の裏側に湯水用の管２が立ち上げられ、この立ち上げ管２の上端にエルボ３が壁１に先端部を向けて接続されている。そしてこのエルボ３の先端部に対応する壁１の位置に、この実施形態では横に長い状態で長方形の切欠窓４が開口され、この切欠窓４を閉塞する蓋５を介して上記の立ち上げ管２が室内に引き込まれている。なお６は防水パンであり、壁１はこの防水パン６の壁載せ部６ａに載せられて垂直状に設けられている。
【００１４】
７は、外周面に雄ネジ部７ａを有するアダプタ―である。このアダプター７は、上記の蓋５に形成されている貫通孔８に通されて、且つ雄ネジ部７ａを室内に配置させて上記のエルボ３の先端部に接続されている。このアダプター７の後端部は、エルボ３にネジ込むことができるよう雄ネジ状に形成され、雄ネジ部７ａの後側の円筒位置は、平座金９やパッキン１０がアダプター７の軸方向に移動可能に、これらの部品の内径より径が若干小さい状態に形成されている。またアダプター７の雄ネジ部７ａの前側にはスパナ等を係合するための六角部７ｂが形成され、この六角部７ｂの前方のアダプター７の前端の位置に、室内側の配管が水密状に接続されるものである。
【００１５】
１１は、アダプター７の雄ネジ部７ａに室内側から螺合された六角ナットである。このナット１１は、雌ネジの長さが長くなるよう幅厚状に形成され、アダプター７をエルボ３の先端部にネジ込む際、ネジ込み量に違いがあっても柔軟に対応できるよう形成されている。
【００１６】
上記の蓋５は、ナット１１を締め付けることにより、このナット１１とエルボ３のフランジ部３ａとで水密状に挟み付けられ、また蓋押さえ１２で壁１に螺子１３で水密状に固定される。これによりユニットバスの内外が、止水されるものである。この実施形態では、蓋５とエルボ３のフランジ部３ａとの間に、上記の平座金９と、この平座金９でエルボ３のフランジ部３ａに押し付けられるパッキン１０とが設けられている。また蓋５とナット１１との間には、ナット１１を締め込んで蓋５を押さえ込む際のとも回りを防止するための滑らし板１４が設けられている。
【００１７】
また蓋５は、伸縮状に形成されて貫通孔８の位置を微調整自在に形成されている。蓋５は、具体的には、例えばゴム、エラストマー、軟質性の塩化ビニル樹脂等の軟質材料で、且つ貫通孔８を囲繞する蛇腹状部５ａを備えて伸縮自在に形成されている。貫通孔８は、この実施形態では図３、図５に示されるように、蓋５の縦方向の真中に横方向にわたって、左側から給湯管用、給水管用、追焚きの出水管用、追焚きの入水管用と、計４個形成されている。蛇腹状部５ａは、この実施形態では図３に示されるように、各貫通孔８と同心円に形成された円形状部５ａ１と、左側の２個の貫通孔８と、右側の２個の貫通孔８とを個別に囲繞する長円状部５ａ２と、更に左右方向の４個の貫通孔８の全体を囲繞するよう左右方向に長く延ばされた大長円状部５ａ３とで形成され、上下、左右、前後へバランス良く動かすことが可能になるよう形成されている。
【００１８】
ナット１１の締付力が加わる貫通孔８の周辺の蓋５の部位５ｂと、蓋５の周辺部５ｃは、この実施形態では他の部位５ｄより硬質状に且つ厚く形成されている。従って貫通孔８の位置を動かしたときの伸縮動作は、蛇腹状部５ａと、その周囲の湾曲可能な薄肉状の他の部位５ｄとで吸収され、肉厚の平面板状の止水箇所５ｂ、５ｃは貫通孔８の微調整動作に影響を受けないよう形成されている。なお蓋５の外周部分には、蓋押さえ１２の外周部が嵌まり込むよう、室内側に返されて断面直角状の返し５ｅが形成されている。５ｆは、周辺部５ｃに、適宜の間隔をあけて形成されているネジ孔である。
【００１９】
上記の蓋押さえ１２は、図４に示されるように、外形が蓋５と同じ長方形状に形成されると共に、蓋５より寸法が幾分小さい枠状に形成されている。そして周辺には、蓋５のネジ孔５ｆと対応する位置に、ネジ通し孔１２ａが形成され、また外周部分は強度保持のため立ち上がり１２ｂが形成されている。この蓋押さえ１２は、図１等に示されるように、蓋５の周辺部５ｃに室内側からあてがわれ、螺子１３で壁１に蓋５と一緒に固定されている。蓋５は、この蓋押さえ１２により、壁１に取り付けられる際に引張られても、周辺部５ｃによれ等が生じることなく固定されるものである。
【００２０】
次に本発明の配管作業手順を、図２に従って説明する。
先ず湯水用の管２が、設備業者によって壁１の裏側に立ち上げられ、その上端にエルボ３が取り付けられる（図２Ａ参照）。この状態でユニットバス工事が行なわれる。ユニットバスの施工の際は、先ず作業者は防水パン６を設置する。次にアダプター７の後端から、平座金９とパッキン１０を嵌挿し、このアダプター７の雄ネジ状の後端部をエルボ３にネジ込み、アダプター７をエルボ３の先端部に接続する（図２Ｂ参照）。次に作業者は、壁１を防水パン６の壁載せ部６ａに垂直に設置する。そしてアダプター７の前端から蓋５の貫通孔８を嵌挿し、蓋５をアダプター７にセットする（図２Ｃ参照）。そして作業者は、アダプター７の前端から滑らし板１４を嵌挿し、次にナット１１を室内側から雄ネジ部７ａにネジ込み、蓋５をエルボ３のフランジ部３ａに押し付け、この箇所を水密状に固定する（図２Ｄ参照）。そしてその後、作業者は、蓋押さえ１２を蓋５の周辺部５ｃにあてがって、螺子１３で蓋５を壁１に固定して蓋５と壁１との隙間を止水する（図１の状態参照）。
【００２１】
以上の処において、上記の切欠窓４は、側壁パネルや腰板パネル等の壁１に開口形成されるのが通例であるが、本発明はこれに限定されるものではなく、例えば防水パン６の立ち上がり壁に形成されるのでも良い。
また上記の実施形態では、給湯管用、給水管用、追焚きの出水管用、追焚きの入水管用を一つの蓋５に貫通させているが、本発明は、例えば給湯管用と給水管用、追焚きの出水管用と追焚きの入水管用を各々一つの蓋５に貫通させるなど、管２の種類ごと切欠窓４を壁１に適宜形成しても良い。この場合は、配管バリエーションに柔軟に対応できる、という利点がある。
【００２２】
また本発明の場合、上記の蓋５は、貫通孔８の位置をエルボ３の先端部の位置に合わせて前後左右上下に動かして微調整できるよう形成されているのであれば、例えばゴム板やゴムシート、軟質性の合成樹脂シートを撓ませた状態で伸縮自在に形成されているのでも良い。また上例では、貫通孔８の周辺の部位５ｂと、周辺部５ｃとが硬質状に且つ厚く形成されているが、本発明はこれに限定されるものではなく、これらの止水箇所５ｂ、５ｃが単に厚く形成されているので良い。
【００２３】
また上記のアダプター７は、図７に示されるように、上記の雄ネジ部７ａに、つかみ代となる平面部７ｃが反対位置に形成され、上記の六角部７ｂが省略されているのでも良い。またこのアダプター７は、図８に示されるように、例えば雄ネジ部７ａが前端まで延長され、室内側の配管が前端に螺合可能に形成されるのでも良く、その仕様は任意である。
また本発明の場合、貫通孔８の位置の止水は、例えば図９に示されるように、ナット１１と蓋５との間に平座金９を設け、蓋５とエルボ３のフランジ部３ａとを直に接触させて密着させることにより行なうのでも良い。
【００２４】
また本発明の場合、アダプター７は雄ネジ部７ａを有するのに代え、図１０に示されるように形成されているのでも良い。上例と同一箇所には同一の符号を付す。即ちこの実施形態のアダプター７は、外周面にフランジ７１が形成され、このフランジ７１に軸心に沿って延びるネジ込み孔７２がフランジ７１の周方向に等間隔をあけて複数貫通されている。この本発明では、ネジ込み孔７２に室内側から止めネジ１５がネジ込まれ、この止めネジ１５で蓋５がエルボ３のフランジ部３ａに圧着され、止水されるものである。この実施形態の場合、上記のネジ込み孔７２は、フランジ７１に周方向に９０度づつあけて計４個形成されている。また蓋５を挟んで平座金９が前後一対状に設けられている。そして後側の平座金９とエルボ３のフランジ部３ａとの間に、パッキン１０が設けられている。この本発明の場合は、止めネジ１５を室内側から締め込むことにより、上例のナット１１の場合と同様、貫通孔８の位置の漏水が防止される。
【図面の簡単な説明】
【００２５】
【図１】本発明の配管構造の好適な一実施形態を示す要部縦断面図である。
【図２】同上配管構造の作業手順を示し、Ａ〜Ｄとも要部断面図である。
【図３】Ａは蓋の正面図、ＢはＡのＢ−Ｂ線断面図、ＣはＡのＣ−Ｃ線断面図である。
【図４】Ａはカバーの正面図、ＢはＡのＢ−Ｂ線断面図である。
【図５】本発明構造の一部を切欠した要部正面図である。
【図６】アダプターを示し、Ａは正面図、Ｂは一部を切欠した側面図、ＣはＢのＣ−Ｃ線断面図である。
【図７】アダプターの他の実施形態を示し、Ａは正面図、Ｂは一部を切欠した側面図、ＣはＢのＣ−Ｃ線断面図である。
【図８】本発明構造の他の実施形態を示す要部縦断面図である。
【図９】本発明構造の他の実施形態を示す要部縦断面図である。
【図１０】本発明構造の他の実施形態を示し、Ａは縦断面図、Ｂはアダプターの斜視図である。
【符号の説明】
【００２６】
１    壁
２    湯水用の立ち上げ管
３    エルボ
３ａ  フランジ部
４    切欠窓
５    蓋
６    防水パン
７    アダプター
７ａ  雄ネジ部
８    貫通孔
１１  ナット
【図１】
2005240475.tif 000003
【図２】
2005240475.tif 000004
【図３】
2005240475.tif 000005
【図４】
2005240475.tif 000006
【図５】
2005240475.tif 000007
【図６】
2005240475.tif 000008
【図７】
2005240475.tif 000009
【図８】
2005240475.tif 000010
【図９】
2005240475.tif 000011
【図１０】
2005240475.tif 000012